(57)【特許請求の範囲】
【請求項１】
カラーマッピングする方法であって、
（１）カラーマッピングデータに基づくカラーマッピングが、第１カラーボリュームにおいて表現されているビデオ信号に直接に適用されるべきか、又は（２）前記カラーマッピングデータに基づく前記カラーマッピングが、前記第１カラーボリュームから該第１カラーボリュームとは異なる第２カラーボリュームへの前記ビデオ信号の事前のカラーマッピングの後に前記ビデオ信号に適用されるべきかを示すインジケータを取得することであって、前記インジケータは、前記第２カラーボリュームを更に示す、ことと、
前記カラーマッピングデータに基づく前記カラーマッピングが前記第１カラーボリュームにおいて表現されている前記ビデオ信号に直接に適用されるべきであることを前記インジケータが示す場合に、前記ビデオ信号に直接に前記カラーマッピングデータを適用することによって前記ビデオ信号をカラーマッピングすることと、
前記場合以外で、前記ビデオ信号を前記第１カラーボリュームから前記第２カラーボリュームにカラーマッピングすることによって、及び前記第２カラーボリュームにおいて表現されている前記ビデオ信号に前記カラーマッピングデータを適用することによって、前記ビデオ信号をカラーマッピングすることと
を有する方法。
【請求項２】
前記インジケータは、バイナリフラグである、
請求項１に記載の方法。
【請求項３】
前記インジケータを取得することは、前記インジケータを復号することを有する、
請求項１又は２に記載の方法。
【請求項４】
カラーマッピングするデバイスであって、
（１）カラーマッピングデータに基づくカラーマッピングが、第１カラーボリュームにおいて表現されているビデオ信号に直接に適用されるべきか、又は（２）前記カラーマッピングデータに基づく前記カラーマッピングが、前記第１カラーボリュームから該第１カラーボリュームとは異なる第２カラーボリュームへの前記ビデオ信号の事前のカラーマッピングの後に前記ビデオ信号に適用されるべきかを示すインジケータを取得することであって、前記インジケータは、前記第２カラーボリュームを更に示す、ことと、
前記カラーマッピングデータに基づく前記カラーマッピングが前記第１カラーボリュームにおいて表現されている前記ビデオ信号に直接に適用されるべきであることを前記インジケータが示す場合に、前記ビデオ信号に直接に前記カラーマッピングデータを適用することによって前記ビデオ信号をカラーマッピングすることと、
前記場合以外で、前記ビデオ信号を前記第１カラーボリュームから前記第２カラーボリュームにカラーマッピングすることによって、及び前記第２カラーボリュームにおいて表現されている前記ビデオ信号に前記カラーマッピングデータを適用することによって、前記ビデオ信号をカラーマッピングすることと、
を行うよう構成される少なくとも１つのプロセッサを有するデバイス。
【請求項５】
前記インジケータは、バイナリフラグである、
請求項４に記載のデバイス。
【請求項６】
前記インジケータを取得することは、前記インジケータを復号することを有する、
請求項４又は５に記載のデバイス。
【発明の詳細な説明】
【技術分野】
【０００１】
以下では、カラーマッピングデータに基づきビデオ信号をカラーマッピングする方法、及び対応するデバイスが、開示される。ビデオ信号及びカラーマッピングデータを符号化する方法が開示される。対応する符号化デバイスが更に開示される。
【背景技術】
【０００２】
カラーマッピングデータは、ピクチャ又はビデオ信号に付随して、それらのピクチャ又はビデオ信号の色を他の色空間又はカラーボリュームにマッピングするのを助ける情報を供給するデータである。カラーボリュームは、原色（color  primaries）及び基準白色によって、更には、ダイナミックレンジ（すなわち、最低／最大輝度ピーク）によって特定される。そのようなカラーボリュームの例は、Ｄ６５基準白色を有し且つ０ｎｉｔ（又はｃｄ／ｍ２）に等しい最低輝度ピーク及び４０００ｎｉｔに等しい最大輝度ピークを有するＲＧＢ  ＢＴ．２０２０である。Ｄ６５基準白色を有し且つ０ｎｉｔ（又はｃｄ／ｍ２）に等しい最低輝度ピーク及び１００ｎｉｔに等しい最大輝度ピークを有するＲＧＢ  ＢＴ．２０２０は、そのようなカラーボリュームの他の例である。文書ＪＣＴＶＣ  Ｒ１０１３＿ｖ６は、そのようなカラーボリュームを特定するＳＥＩメッセージ“Mastering  Display  Color  Volume  SEI”を定義する（Ｄ．２．２７節及びＤ．３．２７節）。
【０００３】
文書ＪＣＴＶＣ  Ｒ１０１３＿ｖ６のＤ．３．３２節で定義されるカラーマッピングデータは、そのようなカラーマッピングデータの例である。この文書において、カラーマッピングデータはＳＥＩメッセージにおいて示される（ＳＥＩは、“Supplemental  Enhancement  Information”の英語の頭文字である。）。カラーマッピング関数は、ＳＥＩメッセージのいくつかのフィールドから定義され得る。カラーマッピングデータは、ブルーレイのために生成されたビデオ信号のバージョンをＤＶＤのための同じビデオ信号のバージョンにカラーマッピングすることを可能にするよう生成され得る。カラーマッピングデータは、通常、スタジオ又はオーサリング施設において、すなわち、制作側で、ＲＧＢ４：４：４又はＹＵＶ４：２：０ビデオ信号から決定される。カラーマッピングデータは、必ずしも、ビデオ信号を符号化するのと同時に生成されない。実際に、ビデオ信号を符号化すること及びカラーマッピングデータを生成することは、異なるオペレータによって達成され得る。結果として、カラーマッピングデータ及び符号化されたビデオ信号を受信側へ送るとき、受信側（具体的に、復号器）は、ビデオ信号の符号化の条件に対して、カラーデータの生成の条件（例えば、色空間の情報）の如何なる知識もなしで、カラーマッピングデータ及びビデオ信号を復号しようとする。それらの条件において、復号されたビデオ信号に対してカラーマッピングデータを適用することは、カラーマッピングされた復号されたビデオ信号を劣化させうる。
【発明の概要】
【０００４】
第２カラーボリュームにおいて表現されているビデオ信号に対して適用されるカラーマッピングデータから、第１カラーボリュームにおいて表現されているビデオ信号をカラーマッピングする方法が、開示される。方法は：
−  第１カラーボリューム及び第２カラーボリュームが異なる場合に、第１カラーボリュームにおいて表現されているビデオ信号を第１カラーボリュームから第２カラーボリュームへとカラーマッピングすることと、
−  カラーマッピングされたビデオ信号をカラーマッピングデータに基づきカラーマッピングすることと
を有する。
【０００５】
カラーマッピングデータに基づくカラーマッピングは、カラーマッピングデータが設計されたカラーボリュームにおいて表現されているビデオデータに対して適用されているので、改善される。
【０００６】
第１の実施形態に従って、第１カラーボリューム及び第２カラーボリュームが異なる場合にビデオ信号を第１カラーボリュームから第２カラーボリュームへとカラーマッピングすることは、第１カラーボリューム及び第２カラーボリュームが異なるかどうかを判定するよう第１カラーボリュームと第２カラーボリュームとを比較することを含む。
【０００７】
第２の実施形態に従って、第１カラーボリューム及び第２カラーボリュームが異なる場合にビデオ信号を第１カラーボリュームから第２カラーボリュームへとカラーマッピングすることは、カラーマッピングデータに基づくカラーマッピングがビデオ信号に直接に適用されるべきかどうか、又はカラーマッピングデータに基づくカラーマッピングが第２カラーボリュームへのビデオ信号のカラーマッピングの後にビデオ信号に適用されるべきかどうかを示すインジケータを取得することと、インジケータに応答してビデオ信号を第２カラーボリュームにカラーマッピングすることとを含む。
【０００８】
有利なことに、インジケータは、更には、第２カラーボリュームを指す。
【０００９】
具体的な実施形態に従って、インジケータを取得することは、インジケータを復号することを含む。
【００１０】
有利なことに、第１カラーボリューム及び第２カラーボリュームが異なる場合に、第１カラーボリュームにおいて表現されているビデオ信号を第１カラーボリュームから第２カラーボリュームへとカラーマッピングすることは、復号されたデータから第１カラーボリュームを決定することを含む。
【００１１】
具体的な実施形態に従って、第１カラーボリューム及び第２カラーボリュームが異なる場合に、第１カラーボリュームにおいて表現されているビデオ信号を第１カラーボリュームから第２カラーボリュームへとカラーマッピングすることは、少なくともビデオユーザビリティ情報から第１カラーボリュームを決定することを含む。
【００１２】
具体的な実施形態に従って、第１カラーボリューム及び第２カラーボリュームが異なる場合に、第１カラーボリュームにおいて表現されているビデオ信号を第１カラーボリュームから第２カラーボリュームへとカラーマッピングすることは、更にマスタリング・ディスプレイ・カラー・ボリューム（Mastering  Display  Color  Volume）ＳＥＩメッセージから第１カラーボリュームを決定することを含む。
【００１３】
具体的な特徴に従って、第１カラーボリューム及び第２カラーボリュームは、色空間である。
【００１４】
第２カラーボリュームにおいて表現されているビデオ信号に対して適用されるカラーマッピングデータから、第１カラーボリュームにおいて表現されているビデオ信号をカラーマッピングするデバイスも、開示される。デバイスは、
−  第１カラーボリューム及び第２カラーボリュームが異なる場合に、第１カラーボリュームにおいて表現されているビデオ信号を第１カラーボリュームから第２カラーボリュームへとカラーマッピングし、
−  カラーマッピングされたビデオ信号をカラーマッピングデータに基づきカラーマッピングする
よう構成される少なくとも１つのプロセッサを有する。
【００１５】
第２カラーボリュームにおいて表現されているビデオ信号に対して適用されるカラーマッピングデータから、第１カラーボリュームにおいて表現されているビデオ信号をカラーマッピングするデバイスも、開示される。デバイスは、
−  第１カラーボリューム及び第２カラーボリュームが異なる場合に、第１カラーボリュームにおいて表現されているビデオ信号を第１カラーボリュームから第２カラーボリュームへとカラーマッピングする手段と、
−  カラーマッピングされたビデオ信号をカラーマッピングデータに基づきカラーマッピングする手段と
を有する。
【００１６】
第１の実施形態に従って、第１カラーボリューム及び第２カラーボリュームが異なる場合にビデオ信号を第１カラーボリュームから第２カラーボリュームへとカラーマッピングすることは、第１カラーボリューム及び第２カラーボリュームが異なるかどうかを判定するよう第１カラーボリュームと第２カラーボリュームとを比較することを含む。
【００１７】
第２の実施形態に従って、第１カラーボリューム及び第２カラーボリュームが異なる場合にビデオ信号を第１カラーボリュームから第２カラーボリュームへとカラーマッピングすることは、カラーマッピングデータに基づくカラーマッピングがビデオ信号に直接に適用されるべきかどうか、又はカラーマッピングデータに基づくカラーマッピングが第２カラーボリュームへのビデオ信号のカラーマッピングの後にビデオ信号に適用されるべきかどうかを示すインジケータを取得することと、インジケータに応答してビデオ信号を第２カラーボリュームにカラーマッピングすることとを含む。
【００１８】
有利なことに、インジケータは、更には、第２カラーボリュームを指す。
【００１９】
具体的な実施形態に従って、インジケータを取得することは、インジケータを復号することを含む。
【００２０】
具体的な実施形態に従って、第１カラーボリューム及び第２カラーボリュームが異なる場合に、第１カラーボリュームにおいて表現されているビデオ信号を第１カラーボリュームから第２カラーボリュームへとカラーマッピングすることは、復号されたデータから第１カラーボリュームを決定することを含む。
【００２１】
具体的な実施形態に従って、第１カラーボリューム及び第２カラーボリュームが異なる場合に、第１カラーボリュームにおいて表現されているビデオ信号を第１カラーボリュームから第２カラーボリュームへとカラーマッピングすることは、少なくともビデオユーザビリティ情報から第１カラーボリュームを決定することを含む。
【００２２】
具体的な実施形態に従って、第１カラーボリューム及び第２カラーボリュームが異なる場合に、第１カラーボリュームにおいて表現されているビデオ信号を第１カラーボリュームから第２カラーボリュームへとカラーマッピングすることは、更にマスタリング・ディスプレイ・カラー・ボリュームＳＥＩメッセージから第１カラーボリュームを決定することを含む。
【００２３】
具体的な特徴に従って、第１カラーボリューム及び第２カラーボリュームは、色空間である。
【００２４】
符号化方法であって、
−  第１カラーボリュームにおいて表現されているビデオ信号を符号化することと、
−  第２カラーボリュームにおいて表現されているビデオ信号に対して適用されるカラーマッピングデータを符号化することと、
−  カラーマッピングに基づくカラーマッピングがビデオ信号に直接に適用されるべきかどうか、又はカラーマッピングデータに基づくカラーマッピングが第１カラーボリュームから第２カラーボリュームへのビデオ信号のカラーマッピングの後にビデオ信号に適用されるべきかどうかを示すインジケータを符号化することと
を有する符号化方法も、開示される。
【００２５】
符号化デバイスであって、
−  第１カラーボリュームにおいて表現されているビデオ信号を符号化し、
−  第２カラーボリュームにおいて表現されているビデオ信号に対して適用されるカラーマッピングデータを符号化し、
−  カラーマッピングに基づくカラーマッピングがビデオ信号に直接に適用されるべきかどうか、又はカラーマッピングデータに基づくカラーマッピングが第１カラーボリュームから第２カラーボリュームへのビデオ信号のカラーマッピングの後にビデオ信号に適用されるべきかどうかを示すインジケータを符号化する
よう構成される少なくとも１つのプロセッサを有する符号化デバイスも、開示される。
【００２６】
符号化デバイスであって、
−  第１カラーボリュームにおいて表現されているビデオ信号を符号化する手段と、
−  第２カラーボリュームにおいて表現されているビデオ信号に対して適用されるカラーマッピングデータを符号化する手段と、
−  カラーマッピングに基づくカラーマッピングがビデオ信号に直接に適用されるべきかどうか、又はカラーマッピングデータに基づくカラーマッピングが第１カラーボリュームから第２カラーボリュームへのビデオ信号のカラーマッピングの後にビデオ信号に適用されるべきかどうかを示すインジケータを符号化する手段と
を有する符号化デバイスも、開示される。
【００２７】
有利なことに、インジケータは、更には、第２カラーボリュームを指す。
【００２８】
有利なことに、ビデオ信号、カラーマッピングデータ、及び／又はビデオ信号が復号されるビットストリームは、
−  ローカルメモリ、
−  ストレージインターフェイス、
−  通信インターフェイス、及び
−  画像捕捉回路
を含む組に属するソースから取得される。
【００２９】
有利なことに、カラーマッピングデータに基づきカラーマッピングされたビデオ信号は、
−  ローカルメモリ、
−  ストレージインターフェイス、
−  通信インターフェイス、及び
−  表示デバイス
を含む組に属するあて先へ送られる。
【００３０】
有利なことに、デバイスは、
−  モバイル機器、
−  通信機、
−  ゲーム機
−  セットトップボックス、
−  テレビ受像機、
−  ブルーレイディスク再生機、
−  タブレット（又はタブレットコンピュータ）、
−  ラップトップ、
−  ディスプレイ、及び
−  復号化チップ
を含む組に属する。
【００３１】
有利なことに、ビデオ信号及び／又はカラーマッピングデータは、
−  ローカルメモリ、
−  ストレージインターフェイス、
−  通信インターフェイス、及び
−  画像捕捉回路
を含む組に属するソースから取得される。
【００３２】
有利なことに、ビデオ信号及びカラーマッピングデータは少なくとも１つのビットストリームへ符号化され、該少なくとも１つのビットストリームは、
−  ローカルメモリ、
−  ストレージインターフェイス、及び
−  通信インターフェイス
を含む組に属するあて先へ送られる。
【００３３】
有利なことに、デバイスは、
−  モバイル機器、
−  通信機、
−  ゲーム機、
−  タブレット、
−  ラップトップ、
−  静止画像カメラ、
−  ビデオカメラ、
−  符号化チップ、
−  静止画像サーバ、及び
−  ビデオサーバ
を含む組に属する。
【００３４】
符号化された信号を有する記憶媒体が、開示される。信号は、所与のカラーボリュームにおいて適用されるカラーマッピングデータと、カラーマッピングデータに基づくカラーマッピングがビデオ信号に直接に適用されるべきかどうか、又はカラーマッピングデータに基づくカラーマッピングが所与のカラーボリュームへのビデオ信号のカラーマッピングの後にビデオ信号に適用されるべきかどうかを示すインジケータとを有する。信号は、ビデオ信号を更に有する。インジケータは、更には、所与のカラーボリュームを指す。
【００３５】
この信号を送信する方法は、例えば、信号を受信する方法など、開示される。
【図面の簡単な説明】
【００３６】
図面では、本発明の実施形態が説明される。それは次を示す。
【図１】例となる実施形態に従って、第１色空間において表現されているビデオ信号をカラーマッピングするよう構成されるデバイスの例となるアーキテクチャを表す。
【図２】具体的な非制限的実施形態に従って、第１色空間において表現されているビデオ信号をカラーマッピングする方法のフローチャートを表す。
【図３Ａ】具体的な非制限的実施形態に従って、第１色空間において表現されているビデオ信号を復号する方法のフローチャートを表す。
【図３Ｂ】具体的な非制限的実施形態に従って、第１色空間において表現されているビデオ信号を復号する方法のフローチャートを表す。
【図４】具体的な非制限的実施形態に従って、第１色空間において表現されているビデオ信号を符号化するよう構成される符号化デバイスの例となるアーキテクチャを表す。
【図５】具体的な非制限的実施形態に従って、第１色空間において表現されているビデオ信号を符号化する方法のフローチャートを表す。
【発明を実施するための形態】
【００３７】
以下で、カラーマッピングは、トーンマッピング又は逆トーンマッピング動作を有してよい。色空間を用いて開示される全ての実施形態及び変形例は、カラーボリュームを用いて適用され得る。この場合に、最低／最大輝度ピークも、原色及び基準白色に加えて考慮される。
【００３８】
図１は、例となる実施形態に従って第１色空間において表現されているビデオ信号をカラーマッピングするよう構成されるデバイス２００の例となるアーキテクチャを、具体的な非制限的実施形態に従って表す。ビデオ信号のカラーマッピングは、第２色空間において表現されているビデオ信号に適用されるカラーマッピングデータに基づく。「第１」及び「第２」との語は、様々な色空間／カラーボリュームを記載するために本願で使用され得るが、それらの色空間／カラーボリュームはそれらの語によって制限されるべきでないことが理解されるだろう。それらの語は、単に、１つの色空間／カラーボリュームを他の色空間／カラーボリュームと区別するために使用される。例えば、本原理から逸脱することなしに、第１色空間／カラーボリュームは、「第２色空間／カラーボリューム」又は「色空間／カラーボリューム」と呼ばれてよく、同様に、第２色空間／カラーボリュームは、「他の色空間／カラーボリューム」又は「第１色空間／カラーボリューム」と呼ばれてよい。デバイス２００は、受信機又は復号器の部分であってよい。デバイス２００は、内部メモリ２２０（例えば、ＲＡＭ、ＲＯＭ、ＥＰＲＯＭ）とともに、例えばＣＰＵ、ＧＰＵ及び／又はＤＳＰ（Digital  Signal  Processorの英語の頭文字）である１つ以上のプロセッサ２１０を有する。デバイス２００は、出力情報を表示するよう且つ／あるいはユーザがコマンド及び／又はデータを入力することを可能にするよう（例えば、キーボード、マウス、タッチパッド、ウェブカム）適応された１つ又は複数の入出力インターフェイス２３０と、電源２４０とを有する。電源２４０は、デバイス２００の外にあってよい。デバイス２００は、ネットワークインターフェイス（図示せず。）を更に有し得る。ビデオ信号及び／又はカラーマッピングデータは、ソースから取得され得る。変形例では、ビデオ信号は、それ自体がソースから取得されるビットストリームから復号される。ビットストリームはビットの列である。他の変形例では、カラーマッピングデータは、ソースから取得されたビットストリームから復号される。更なる他の変形例では、ビデオ信号及びカラーマッピングデータの両方が、ソースから取得された１つ又は２つのビットストリームから復号される。別の実施形態に従って、ソースは
−  ローカルメモリ、例えば、ビデオメモリ、ＲＡＭ、フラッシュメモリ、ハードディスク、
−  ストレージインターフェイス、例えば、大容量記憶装置、ＲＯＭ、光ディスク又は磁気担体とのインターフェイス、
−  通信インターフェイス、例えば、有線インターフェイス（例えば、バスインターフェイス、ワイドエリアネットワークインターフェイス、ローカルエリアネットワークインターフェイス）又は無線インターフェイス（例えば、ＩＥＥＥ８０２．１１インターフェイス若しくはＢｌｕｅｔｏｏｔｈ（登録商標）インターフェイス）、及び
−  画像捕捉回路（例えば、ＣＣＤ（すなわち、Charge-Coupled  Device）又はＣＭＯＳ（すなわち、Complementary  Meta-Oxide-Semiconductor）のようなセンサ）
を含む組に属する。
【００３９】
別の実施形態に従って、カラーマッピングデータに基づきカラーマッピングされたビデオ信号は、あて先へ送られ得る。一例として、カラーマッピングされたビデオ信号は、遠隔地に又はローカルメモリ、例えば、ビデオメモリ若しくはＲＡＭ、ハードディスクに記憶される。変形例では、カラーマッピングされたビデオ信号は、ストレージインターフェイス、例えば、大容量記憶装置、ＲＯＭ、フラッシュメモリ、光ディスク若しくは磁気担体とのインターフェイスへ送られ、及び／又は通信インターフェイス、例えば、ポイント・ツー・ポイント・リンク、通信バス、ポイント・ツー・マルチポイント・リンク若しくはブロードキャストネットワークへのインターフェイスを介して送信される。
【００４０】
例となる非制限的な実施形態に従って、デバイス２００は、メモリ２２０に記憶されているコンピュータプログラムを更に有する。コンピュータプログラムは、デバイス２００によって、特にプロセッサ２１０によって実行されるときに、図２を参照して記載される方法をデバイス２００に実行させる命令を有する。変形例に従って、コンピュータプログラムは、非一時的なデジタルデータ担体においてデバイス２００の外部で、例えば、ＨＤＤ、ＣＤ−ＲＯＭ、ＤＶＤ、リードオンリー及び／又はＤＶＤドライブ及び／又はＤＶＤリード／ライトドライブ（全て当該技術で知られている。）のような外部記憶媒体において記憶されている。よって、デバイス２００は、コンピュータプログラムを読み出すためのインターフェイスを更に有する。更には、デバイス２００は、１つ以上のユニバーサル・シリアル・バス（ＵＳＢ）タイプの記憶デバイス（例えば、“メモリスティック”）に、対応するＵＳＢポート（図示せず。）を通じてアクセスすることができる。
【００４１】
例となる非制限的な実施形態に従って、デバイス２００は、
−  モバイル機器、
−  通信機、
−  ゲーム機、
−  セットトップボックス、
−  テレビ受像機、
−  ブルーレイディスク再生機、
−  タブレット（又はタブレットコンピュータ）、
−  ラップトップ、
−  ディスプレイ、及び
−  復号化チップ
を含む組に属するデバイスである。
【００４２】
図２は、具体的な非制限的実施形態に従って第１色空間において表現されているビデオ信号をカラーマッピングする方法のフローチャートを表す。ビデオ信号のカラーマッピングは、第２色空間において表現されているビデオ信号に適用されるカラーマッピングデータに基づく。ビデオ信号は、例えば、復号器から取得される。その場合に、それは、復号されたビデオ信号である。カラーマッピングデータは、例えば、ビットストリームから復号される。その場合に、それらは、復号されたカラーマッピングデータである。
【００４３】
ステップ１４で、ビデオ信号は、第１色空間及び第２色空間が異なる場合に、第１色空間から第２色空間にカラーマッピングされる。このように、ビデオ信号の色は変換される。例として、第１色空間はＹＵＶ色空間、又は特定の原色を有するＹＵＶ色空間である。変形例では、第１色空間はＲＧＢ色空間である。例として、第２色空間はＲＧＢ色空間、又は特定の原色及び基準白色を有するＲＧＢ色空間である。
【００４４】
第１の非制限的な実施形態において、ビデオ信号を第２色空間にカラーマッピングすることは、第１色空間及び第２色空間が異なるかどうかを判定するよう第１色空間と第２色空間とを比較することを含む。このために、第１色空間は、復号されたデータから決定又は取得される。復号されたデータは、ＪＣＴＶＣ−Ｒ１０１３＿ｖ６のＥ．２及びＥ．３節で定義されるように、例えば、復号されたビデオユーザビリティ情報（その頭文字はＶＵＩ（Video  Usability  Information）である。）である。そのような復号されたデータは、第１色空間において表現されているビデオ信号と関連付けられ得る。ＶＵＩは、復号されたピクチャをディスプレイ上で向上又は改善するために復号器によって使用され得る“サイド情報”である。具体的に、表Ｅ．５において定義されるmatrix_coeffsインジケータは、第１色空間がＲＧＢ色空間又はＹＵＶ色空間のいずれであるかを判定することを可能にする。例として、matrix_coeffs＝０である場合には、第１色空間はＲＧＢ色空間であり、matrix_coeffs＝１，４，５，６，７，９及び１０である場合には、第１色空間はＹＵＶ色空間である。その上、インジケータcolour_primariesは、原色の色度座標を示す。具体的に、それは原色及び基準白色を定義し、第１色空間の特性を完全に明らかにすることを可能にする。第２色空間は、アプリケーションによって又は標準規格（例えば、頭文字がＢＤＡであるブルーレイ・ディスク・アソシエーション（Blu-ray（登録商標）  Disc  Association））によって指定され得る。この場合に、第２色空間は固定され、カラーマッピング関数によって知られている。変形例では、第２色空間は、インジケータによって指定され得る。一例として、インジケータは、第２色空間がＲＧＢ  ＢＴ．２０２０色空間であることを示す値０、第２色空間がＲＧＢ  ＢＴ．７０９色空間であることを示す値１、第２色空間がＲＧＢ  ＢＴ．６０１色空間であることを示す値２、などを取ることができる。更なる他の例では、インジケータは、第２色空間がＲＧＢであることを示す値０、及び第２色空間がＹＣＣ（ルーマ及び色差）であることを示す値１、などを取ることができる。この場合に、インジケータから求められた第１色空間及び第２色空間は比較され、カラーマッピングデータは、第１色空間及び第２色空間が同じである場合にはビデオ信号に直接に適用され、あるいは、第１色空間及び第２色空間が異なる場合にはビデオ信号が第２色空間へマッピングされた後にビデオ信号に適用される。
【００４５】
第１色空間及び第２色空間を比較することは、原色及び基準白色を比較することを含み得る。しかし、原色及び基準白色を比較することは、必須ではない。実際に、アプリケーション／標準規格は、カラーマッピングデータ及びビデオ信号が、たとえ異なる色空間（例えば、ＹＵＶ  ＢＴ．２０２０及びＲＧＢ  ＢＴ．２０２０）において表現されるとして、同じ原色及び／又は基準白色を使用していることを要求し得る。ビデオ信号は、最終的に、この比較に基づき第１色空間から第２色空間にカラーマッピングされる。実際に、比較により第１色空間及び第２色空間が異なることが示されるとき、ビデオ信号は第１色空間から第２色空間にカラーマッピングされる。カラーマッピングは、通常、第１色空間及び第２色空間から定義されるカラーマッピング関数を適用することを含む。カラーマッピング関数は、独自仕様であるか、あるいは、ＳＭＰＴＥ  ＲＰ１７７のような標準規格によって定義され得る。比較により第１色空間及び第２色空間が同じであることが示されるとき、ビデオ信号はカラーマッピングされない。第１色空間及び第２色空間が実際にはカラーボリュームである場合において、第１カラーボリュームの最低及び最大輝度ピークは、復号化されたデータから、例えば、マスタリング・ディスプレイ・カラー・ボリュームＳＥＩから取得又は決定され得る。このようにして、第１カラーボリュームは、ＶＵＩ及びマスタリング・ディスプレイ・カラー・ボリュームＳＥＩによって完全に定義される。第２色空間は、アプリケーションによって又は標準規格（例えば、頭文字がＢＤＡであるブルーレイ・ディスク・アソシエーション（Blu-ray  Disc  Association））によって指定され得る。第１カラーボリューム及び第２カラーボリュームを比較することは、原色、基準白色、及び最低／最大輝度ピークを比較することを含み得る。
【００４６】
第２の非制限的な実施形態において、ビデオ信号を第２色空間にカラーマッピングすることは、カラーマッピングデータに基づくカラーマッピングがビデオ信号に直接に適用されるべきかどうか、又はカラーマッピングデータに基づくカラーマッピングが第２色空間へのビデオ信号のカラーマッピングの後にビデオ信号に適用されるべきかどうかを示すインジケータを取得することと、該インジケータに応答してビデオ信号を第２色空間にカラーマッピングすることとを含む。インジケータは、復号器から又はメモリなどから取得され得る。変形例では、インジケータを取得することは、ビットストリームからインジケータを復号することを含み得る。ＪＣＴＶＣ−Ｒ１０１３＿ｖ６のＤ．３．３２節で定義される“colour_remap_id”は、そのようなインジケータの一例である。ＪＣＴＶＣ−Ｒ１０１３＿ｖ６において、“colour_remap_id”は、カラー再マッピング情報の目的を識別するために使用され得る識別番号を含むものとして定義されている。colour_remap_idの値は、０から２３２−２を含む範囲内であるべきである。変形例では、インジケータは、トランスポートストリームから復号される。トランスポートストリームは、オーディオ、ビデオ又は他のデータの伝送及び蓄積のためのフォーマットである。インジケータは、カラーマッピングデータに基づくカラーマッピングがビデオ信号に直接に適用されるべきであることを示すために第１の値（例えば、値０）を取り、カラーマッピングデータに基づくカラーマッピングが第２色空間へのビデオ信号のカラーマッピングの後にビデオ信号に適用されるべきであることを示すために第２の値（例えば、値１）を取るバイナリフラグであってよい。カラーマッピングデータに基づく２回目のカラーマッピングは、第１色空間及び第２色空間が異なる場合に最初のカラーマッピングがステップ１４において既に適用されているので、カラー再マッピング（color  remapping）とも呼ばれ得る。この解決法は、第２色空間の原色／基準白色（及び、カラーボリュームの場合には、できる限り、最低／最大輝度ピーク）が固定される場合に、例えば、アプリケーション又は標準規格（例えば、ＤＶＢ、ＡＴＳＣ又はＢＤＡ）によって定義されているので、十分である。変形例において、インジケータは、第２色空間の原色を、例えば、それらがアプリケーションによって又は標準規格（例えば、ＤＶＢ、ＡＴＳＣ又はＢＤＡ）によって定義されないので、正確に定義するために、２つよりも多い値を取ることができる。例として、インジケータは、カラーマッピングデータに基づくカラーマッピングがビデオ信号に直接に適用されるべきであることを示す値０、カラーマッピングデータに基づくカラーマッピングがＲＧＢ  ＢＴ．２０２０色空間へのビデオ信号のカラーマッピングの後にビデオ信号に適用されるべきであることを示す値１、カラーマッピングデータに基づくカラーマッピングがＲＧＢ  ＢＴ．７０９色空間へのビデオ信号のカラーマッピングの後にビデオ信号に適用されるべきであることを示す値２、などを取ることができる。変形例では、第２色空間はインジケータによって指定され得る。一例として、インジケータは、第２色空間がＲＧＢ  ＢＴ．２０２０色空間であることを示��値０、第２色空間がＲＧＢ  ＢＴ．７０９色空間であることを示す値１、第２色空間がＲＧＢ  ＢＴ．６０１色空間であることを示す値２、などを取ることができる。更なる他の例では、インジケータは、第２色空間がＲＧＢであることを示す値０、及び第２色空間がＹＣＣ（ルーマ及び色差）であることを示す値１、などを取ることができる。この場合に、インジケータから求められた第１色空間及び第２色空間は比較され、カラーマッピングデータは、第１色空間及び第２色空間が同じである場合にはビデオ信号に直接に適用され、あるいは、第１色空間及び第２色空間が異なる場合にはビデオ信号が第２色空間へマッピングされた後にビデオ信号に適用される。この実施形態では、第１色空間は、アプリケーション又は標準規格によって指定されるか、あるいは、第１の実施形態で見られたように、復号されたデータから（例えば、復号されたＶＵＩから）決定され得る。カラーマッピングは、通常、第１色空間及び第２色空間から定義されるカラーマッピング関数を適用することを含む。カラーマッピング関数は独自仕様であるか、あるいは、ＳＭＰＴＥ  ＲＰ１７７のような標準規格によって定義され得る。
【００４７】
ステップ１６において、カラーマッピングされたビデオ信号は、カラーマッピングデータに基づきカラーマッピングされる。第１色空間及び第２色空間が同じである場合に、ビデオ信号は、カラーマッピングデータに基づき直接カラーマッピングされる。第１色空間及び第２色空間が異なる場合に、ビデオ信号は、続けざまに２回カラーマッピングされる。１回目は、その色を第１色空間から第２色空間へマッピングし、２回目は、その色を、カラーマッピングデータに基づき第２色空間からマッピングする。
【００４８】
図３によって説明される具体的な非制限的実施形態において、カラーマッピング方法は、復号化方法の部分である。この場合に、復号化方法は、ステップ１０でビデオ信号を復号することと、ステップ１２でカラーマッピングデータを復号することとを有する。カラーマッピング方法のステップ１４及び１６は、復号されたカラーマッピングデータを用いて、復号されたビデオ信号に適用される。
【００４９】
任意のステップ１０で、第１色空間において表現されているビデオ信号は、ビットストリームＦから復号される。復号されたビデオ信号は、復号されたデータ、例えば、ＶＵＩ、マスタリング・ディスプレイ・カラー・ボリュームＳＥＩを伴い得る。具体的な非制限的実施形態において、ビデオ信号を復号することは、ビデオの画像のブロックについて、そのブロックの予測を決定することを含む。ブロックは、文献において符号化単位としても知られている。特にインター予測の場合に、予測を決定することは、運動ベクトルを復号し、復号された運動ベクトルを参照ブロック、すなわち、既に再構成／復号されているブロックに適用することを含む。残差は復号され、ブロックを再構成するために予測に加えられる。残差は、慣行に基づいて、エントロピ復号化によって、並びに逆量子化及び逆変換（例えば、逆ＤＣＴ）を適用することによって、復号される。例として、ビデオ信号は、Ｈ．２６４又はＨ．２６５に従う復号化方法を用いて復号され得る。なお、明らかなように、本発明は、この具体的な復号化方法に制限されない。
【００５０】
ステップ１２で、第２色空間においてビデオ信号に適用されるカラーマッピングデータは、復号される。カラーマッピングデータは、例えば、同じビットストリームＦから、又はＦとは異なる他のビットストリームから、復号される。ステップ１４のインジケータも、同じビットストリームＦから復号され得る。カラーマッピングデータは、画像の又はビデオ信号の色をある色空間（例えば、ＹＵＶ）から別の色空間（ＲＧＢ、ＹＣＣ）へ、又はある色空間（ＲＧＢ  ＢＴ．７０９）を異なった原色を有する同じ色空間（ＲＧＢ  ＢＴ．２０２０）へ変換することを可能にするデータを有する。例として、カラーマッピングデータは、標準規格文書ＪＣＴＶＣ−Ｒ１０１３＿ｖ６のＤ．３．３２節で特定されているように復号される。ＳＨＶＣ標準規格において、カラーマッピングデータは、ＳＥＩメッセージ（ＳＥＩは、“Supplemental  Enhancement  Information”の英語の頭文字である。）から復号される。ＳＥＩメッセージは、「カラー再マッピング情報ＳＥＩ」と名付けられる。それは、出力ピクチャの再構成された色サンプルの（再）マッピングを可能にするデータを提供する。カラー（再）マッピングデータは、復号されたサンプル値がルーマ及び色度領域又はＲＧＢ領域のいずれにあろうとも、復号されたサンプル値に直接に適用され得る。カラー再マッピング情報ＳＥＩメッセージにおいて使用されるカラー（再）マッピングモデルは、夫々の色成分に適用される第１の区分的線形関数（本願では、シンタックス要素の“プリ”セットによって特定される。）、３つの色成分に適用される３×３行列、及び夫々の色成分に適用される第２の区分的線形関数（本願では、シンタックス要素の“ポスト”セットによって特定される。）から成る。なお、明らかなように、本発明は、ＪＣＴＶＣ−Ｒ１０１３＿ｖ６で定義される具体的なカラーマッピングデータに制限されない。
【００５１】
図３Ｂによって説明される他の具体的な非制限的実施形態において、カラーマッピング方法は、復号化方法の部分である。この場合に、復号化方法は、ステップ１２でカラーマッピングデータを復号することを含む。カラーマッピング方法のステップ１４及び１６は、復号されたカラーマッピングデータを用いて、ビデオ信号に適用される。ビデオ信号は、例えば、ソース（例えば、メモリ、通信インターフェイス、など）から取得される。
【００５２】
変形例では、受信方法であって、
−  所与のカラーボリュームにおいて適用されるカラーマッピングデータを受信することと、
−  カラーマッピングデータに基づくカラーマッピングがビデオ信号に直接に適用されるべきかどうか、又はカラーマッピングデータに基づくカラーマッピングが所与のカラーボリュームへのビデオ信号のカラーマッピングの後にビデオ信号に適用されるべきかどうかを示すインジケータを受信することと
を有する受信方法が、開示される。
【００５３】
受信方法は、ビデオ信号を受信することを更に有し得る。
【００５４】
受信機であって、
−  所与のカラーボリュームにおいて適用されるカラーマッピングデータを受信し、
−  カラーマッピングデータに基づくカラーマッピングがビデオ信号に直接に適用されるべきかどうか、又はカラーマッピングデータに基づくカラーマッピングが所与のカラーボリュームへのビデオ信号のカラーマッピングの後にビデオ信号に適用されるべきかどうかを示すインジケータを受信する
よう構成される少なくとも１つのプロセッサを有する受信機も、開示される。
【００５５】
プロセッサは、ビデオ信号を受信するよう更に構成され得る。
【００５６】
インジケータ、更には、所与のカラーボリュームを指し得る。
【００５７】
図４は、カラーマッピングデータ及び、場合により、第１色空間において表現されているビデオ信号をビットストリームに符号化するよう構成される符号化デバイス１００の例となるアーキテクチャを、具体的な非制限的実施形態に従って表す。カラーマッピングデータは、ビデオ信号と同じビットストリームにおいて、又は他のビットストリームにおいて、符号化され得る。符号化デバイス１００は、内部メモリ１２０（例えば、ＲＡＭ、ＲＯＭ、ＥＰＲＯＭ）とともに、ＣＰＵ、ＧＰＵ及び／又はＤＳＰ（Digital  Signal  Processorの英語の頭文字）である１つ以上のプロセッサ１１０を有する。符号化デバイス１００は、出力情報を表示するよう且つ／あるいはユーザがコマンド及び／又はデータを入力することを可能にするよう（例えば、キーボード、マウス、タッチパッド、ウェブカム）適応された１つ又は複数の入出力インターフェイス１３０と、電源１４０とを有する。電源１４０は、符号化デバイス１００の外にあってよい。デバイス１００は、ネットワークインターフェイス（図示せず。）を更に有し得る。ビデオ信号及び／又はカラーマッピングデータは、ソース（必ずしも同じでない。）から取得され得る。別の実施形態に従って、ソースは
−  ローカルメモリ、例えば、ビデオメモリ、ＲＡＭ、フラッシュメモリ、ハードディスク、
−  ストレージインターフェイス、例えば、大容量記憶装置、ＲＯＭ、光ディスク又は磁気担体とのインターフェイス、
−  通信インターフェイス、例えば、有線インターフェイス（例えば、バスインターフェイス、ワイドエリアネットワークインターフェイス、ローカルエリアネットワークインターフェイス）又は無線インターフェイス（例えば、ＩＥＥＥ８０２．１１インターフェイス若しくはＢｌｕｅｔｏｏｔｈ（登録商標）インターフェイス）、及び
−  画像捕捉回路（例えば、ＣＣＤ（すなわち、Charge-Coupled  Device）又はＣＭＯＳ（すなわち、Complementary  Meta-Oxide-Semiconductor）のようなセンサ）
を含む組に属する。
【００５８】
別の実施形態に従って、ビットストリームはあて先へ送られ得る。一例として、ビットストリームは、遠隔地に又はローカルメモリ、例えば、ビデオメモリ若しくはＲＡＭ、ハードディスクに記憶される。変形例では、ビットストリームは、ストレージインターフェイス、例えば、大容量記憶装置、ＲＯＭ、フラッシュメモリ、光ディスク若しくは磁気担体とのインターフェイスへ送られ、及び／又は通信インターフェイス、例えば、ポイント・ツー・ポイント・リンク、通信バス、ポイント・ツー・マルチポイント・リンク若しくはブロードキャストネットワークへのインターフェイスを介して送信される。従って、カラーマッピングデータを含む信号（例えば、ビットストリーム）は、メモリにおいて若しくはファイルにおいて記憶され、及び／又は受信デバイス（例えば、復号器、ディスプレイ、など）へ送られ得る。
【００５９】
例となる非制限的な実施形態に従って、符号化デバイス１００は、メモリ１２０に記憶されているコンピュータプログラムを更に有する。コンピュータプログラムは、符号化デバイス１００によって、特にプロセッサ１１０によって実行されるときに、図５を参照して記載される方法を符号化デバイス１００に実行させる命令を有する。変形例に従って、コンピュータプログラムは、非一時的なデジタルデータ担体において符号化デバイス１００の外部で、例えば、ＨＤＤ、ＣＤ−ＲＯＭ、ＤＶＤ、リードオンリー及び／又はＤＶＤドライブ及び／又はＤＶＤリード／ライトドライブ（全て当該技術で知られている。）のような外部記憶媒体において記憶されている。よって、符号化デバイス１００は、コンピュータプログラムを読み出すためのインターフェイスを更に有する。更には、符号化デバイス１００は、１つ以上のユニバーサル・シリアル・バス（ＵＳＢ）タイプの記憶デバイス（例えば、“メモリスティック”）に、対応するＵＳＢポート（図示せず。）を通じてアクセスすることができる。
【００６０】
例となる非制限的な実施形態に従って、符号化デバイス１００は、
−  モバイル機器、
−  通信機、
−  ゲーム機、
−  タブレット（又はタブレットコンピュータ）、
−  ラップトップ、
−  静止画像カメラ、
−  ビデオカメラ、
−  符号化チップ、
−  静止画像サーバ、及び
−  ビデオサーバ（例えば、ブロードキャストサーバ、ビデオ・オン・デマンドサーバ、又はウェブサーバ）
を含む組に属するデバイスである。
【００６１】
図５は、具体的な非制限的実施形態に従って第１色空間において表現されているビットストリームにおいてカラーマッピングデータ及び、場合により、ビデオ信号を符号化する方法のフローチャートを、具体的な非制限的実施形態に従って表す。
【００６２】
任意のステップ２０で、ビデオ信号は符号化される。例として、第１色空間はＹＵＶ色空間、又は特定の原色を有するＹＵＶ色空間である。変形例では、第１色空間はＲＧＢ色空間である。具体的な非制限的実施形態において、ビデオ信号を符号化することは、ビデオの画像のブロックについて、そのブロックの予測を決定することを含む。特にインター予測の場合に、予測を決定することは、参照となる再構成されたブロックに対して運動ベクトルを決定することを含む。予測は、その場合に、運動ベクトル及び参照用の再構成されたブロックから決定される。予測は、残差を求めるために、符号化されるブロックから減算される。そして、残差は符号化される。慣行に基づいて、残差を符号化することは、係数を生成するために変換Ｔ（例えば、ＤＣＴ）を残差に適用することを含む。生成された係数は、次いで、量子化され、エントロピ符号化される。ブロックは、その場合に、再構成されたブロックを生成するために再構成され得る。このために、量子化された係数は逆量子化され、逆変換Ｔ−１が、逆量子化された係数に適用される。予測は、次いで、再構成されたブロックを生成するために、逆変換Ｔ−１の結果に加えられる。再構成されたブロックは、他のブロックを符号化するときに参照となることができる。例として、ビデオ信号は、Ｈ．２６４又はＨ．２６５に従う符号化方法を用いて符号化され得る。なお、明らかなように、本発明は、この具体的な符号化方法に制限されない。
【００６３】
ステップ２２で、第２色空間において表現されているビデオ信号に適用されるカラーマッピングデータは、例えば、ビットストリームＦにおいて、又はＦとは異なる他のビットストリームにおいて、符号化される。例として、カラーマッピングデータは、標準規格文書ＪＣＴＶＣ−Ｒ１０１３＿ｖ６のＤ．３．３２で特定されているように符号化される。ＳＨＶＣ標準規格において、カラーマッピングデータは、ＳＥＩメッセージ（ＳＥＩは、“Supplemental  Enhancement  Information”の英語の頭文字である。）において符号化される。ＳＥＩメッセージは、「カラー再マッピング情報ＳＥＩ」と名付けられる。それは、出力ピクチャの再構成された色サンプルのカラーマッピングを可能にするデータを提供する。カラーマッピングデータは、復号されたサンプル値がルーマ及び色度領域又はＲＧＢ領域のいずれにあろうとも、復号されたサンプル値に直接に適用され得る。カラー（再）マッピング情報ＳＥＩメッセージにおいて使用されるカラー（再）マッピングモデルは、夫々の色成分に適用される第１の区分的線形関数（本願では、シンタックス要素の“プリ”セットによって特定される。）、３つの色成分に適用される３×３行列、及び夫々の色成分に適用される第２の区分的線形関数（本願では、シンタックス要素の“ポスト”セットによって特定される。）から成る。
【００６４】
ステップ２４で、カラーマッピングデータに基づくカラーマッピングがビデオ信号（場合により、復号されている。）に直接に適用されるべきかどうか、又はカラーマッピングデータに基づくカラーマッピングが第２色空間へのビデオ信号（場合により、復号されている。）のカラーマッピング後にそのビデオ信号に適用されるべきかどうかを示すインジケータは、例えば、ビットストリームＦにおいて、符号化される。インジケータは、例えば、ＪＣＴＶＣ−Ｒ１０１３＿ｖ６のＤ．３．３２節で定義される“colour_remap_id”を用いて符号化される。ＪＣＴＶＣ−Ｒ１０１３＿ｖ６において、“colour_remap_id”は、カラー再マッピング情報の目的を識別するために使用され得る識別番号を含むものとして定義されている。colour_remap_idの値は、０から２３２−２を含む範囲内であるべきである。変形例では、インジケータは、トランスポートストリームにおいて符号化される。トランスポートストリームは、オーディオ、ビデオ又は他のデータの伝送及び蓄積のためのフォーマットである。インジケータは、カラーマッピングデータに基づくカラーマッピングがビデオ信号に直接に適用されるべきであることを示すために第１の値（例えば、値０）を取り、カラーマッピングデータに基づくカラーマッピングが第２色空間へのビデオ信号のカラーマッピングの後にビデオ信号に適用されるべきであることを示すために第２の値（例えば、値１）を取るバイナリフラグであってよい。この解決法は、第２色空間の原色が固定される場合に（例えば、アプリケーション又は標準規格（例えば、ＤＶＢ、ＡＴＳＣ又はＢＤＡ）によって定義されているので）、十分である。変形例において、インジケータは、第２色空間の原色を、例えば、それらがアプリケーションによって又は標準規格（例えば、ＤＶＢ、ＡＴＳＣ又はＢＤＡ）によって定義されないので、正確に定義するために、２つよりも多い値を取ることができる。例として、インジケータは、カラーマッピングデータに基づくカラーマッピングがビデオ信号に直接に適用されるべきであることを示す値０、カラーマッピングデータに基づくカラーマッピングがＲＧＢ  ＢＴ．２０２０色空間へのビデオ信号のカラーマッピングの後にビデオ信号に適用されるべきであることを示す値１、カラーマッピングデータに基づくカラーマッピングがＲＧＢ  ＢＴ．７０９色空間へのビデオ信号のカラーマッピングの後にビデオ信号に適用されるべきであることを示す値２、などを取ることができる。この実施形態では、第１色空間は、アプリケーション又は標準規格によって指定されるか、あるいは、第１の実施形態で見られたように、復号されたデータから（例えば、復号されたＶＵＩから）決定され得る。他の変形例では、インジケータは、単に、第２色空間を指し得る。一例として、インジケータは、第２色空間がＲＧＢ  ＢＴ．２０２０色空間であることを示す値０、第２色空間がＲＧＢ  ＢＴ．７０９色空間であることを示す値１、第２色空間がＲＧＢ  ＢＴ．６０１色空間であることを示す値２、などを取ることができる。この場合に、インジケータから求められた第１色空間及び第２色空間は比較され、カラーマッピングデータは、第１色空間及び第２色空間が同じである場合には��デオ信号に直接に適用され、あるいは、第１色空間及び第２色空間が異なる場合にはビデオ信号が第２色空間にマッピングされた後にビデオ信号に適用される。
【００６５】
変形例では、送信方法であって、
−  所与のカラーボリュームにおいて適用されるカラーマッピングデータを送信することと、
−  カラーマッピングデータに基づくカラーマッピングがビデオ信号に直接に適用されるべきかどうか、又はカラーマッピングデータに基づくカラーマッピングが所与のカラーボリュームへのビデオ信号のカラーマッピングの後にビデオ信号に適用されるべきかどうかを示すインジケータを送信することと
を有する送信方法が、開示される。
【００６６】
送信方法は、符号化されてもされなくてもよいビデオ信号を送信することを更に含み得る。
【００６７】
送信機であって、
−  所与のカラーボリュームにおいて適用されるカラーマッピングデータを送信し、
−  カラーマッピングデータに基づくカラーマッピングがビデオ信号に直接に適用されるべきかどうか、又はカラーマッピングデータに基づくカラーマッピングが所与のカラーボリュームへのビデオ信号のカラーマッピングの後にビデオ信号に適用されるべきかどうかを示すインジケータを送信する
よう構成される少なくとも１つのプロセッサを有する送信機も、開示される。
【００６８】
プロセッサは、符号化されてもされなくてもよいビデオ信号を送信するよう更に構成され得る。
【００６９】
インジケータは、更には、所与のカラーボリュームを指し得る。
【００７０】
本願で記載される実施は、例えば、方法若しくはプロセス、装置、ソフトウェアプログラム、データストリーム、又は信号において、実装され得る。たとえただ１つの実施形態に関してしか論じられていない（例えば、方法又はデバイスとしてしか論じられていない）としても、開示されている特徴の実装は、他の形態（例えば、プログラム）でも実施され得る。装置は、例えば、適切なハードウェア、ソフトウェア、及びファームウェアにおいて、実装され得る。方法は、例えばプロセッサなどの装置において実装され得る。プロセッサは、例えば、コンピュータ、マイクロプロセッサ、集積回路、又はプログラム可能論理デバイスを含む、プロセッシングデバイス全般を指す。プロセッサは、例えば、コンピュータ、携帯電話機、ポータブル／パーソナルデジタルアシスタント（“ＰＤＡ”）、及びエンドユーザ間の情報のやり取りを助ける他のデバイスのような、通信デバイスを更に含む。
【００７１】
本願で記載される様々なプロセス及び特徴の実装は、多種多様な設備又は用途、特に、例えば、複数の設備又は複数の用途において、具現され得る。そのような設備の例は、符号器、復号器、復号器からの出力を処理するポストプロセッサ、符号器へ入力を供給するプリプロセッサ、ビデオコーダ、ビデオデコーダ、ビデオコーデック、ウェブサーバ、セットトップボックス、ラップトップ、パーソナルコンピュータ、携帯電話機、ＰＤＡ、及び他の通信デバイスを含む。当然ながら、設備は、モバイルであって、移動車両に設置されてさえよい。
【００７２】
加えて、方法は、命令がプロセッサによって実行されることによって実施され得、そのような命令（及び／又は実施によって生成されたデータ値）は、例えば、集積回路、ソフトウェア担体又は他の記憶デバイス（例えば、ハードディスク、コンパクトディスケット（“ＣＤ”）、光ディスク（例えば、デジタルバーサタイルディスク又はデジタルビデオディスクとしばしば呼ばれるＤＶＤ）、ランダムアクセスメモリ（“ＲＡＭ”）、若しくはリードオンリーメモリ（“ＲＯＭ”））のようなプロセッサ可読媒体に記憶され得る。命令は、プロセッサ可読媒体において有形に具現されたアプリケーションプログラムを形成し得る。命令は、例えば、ハードウェア、ファームウェア、ソフトウェア、又は組み合わせにあってよい。命令は、例えば、オペレーティングシステム、別個のアプリケーション、又は両者の組み合わせにおいて見つけられ得る。プロセッサは、従って、例えば、プロセスを実行するよう構成されるデバイス、及びプロセスを実行するための命令を有しているプロセッサ可読媒体（例えば、記憶デバイス）を含むデバイスの両方と見なされ得る。更には、プロセッサ可読媒体は、命令に加えて又はそれに代えて、実施によって生成されたデータ値を記憶し得る。
【００７３】
当業者に明らかなように、実施は、例えば記憶又は送信され得る情報を運ぶようフォーマットされた様々な信号を生成し得る。一例として、カラーマッピングデータに基づくカラーマッピングがビデオ信号に直接に適用されるべきかどうか、又はカラーマッピングデータに基づくカラーマッピングが第２カラーボリュームへのビデオ信号のカラーマッピングの後にそのビデオ信号に適用されるべきかどうかを示すインジケータを運ぶカラーマッピングデータを含む信号が、開示される。同じ信号は、ビデオ信号を更に含み得る。カラーマッピングデータは、このようにして、受信デバイスへ送信機によって記憶又は送信され得る。情報は、例えば、方法を実行するための命令、又は記載されている実施のうちの１つによって生成されたデータを含んでよい。例えば、信号は、記載される実施形態のシンタックスを書き込む又は読み出すための規則をデータとして運ぶよう、あるいは、記載される実施形態によって書き込まれる実際のシンタックス値をデータとして運ぶよう、フォーマットされ得る。そのような信号は、例えば、電磁波として（例えば、スペクトラムの無線周波数部分を使用する。）、又はベースバンド信号として、フォーマットされ得る。フォーマッティングは、例えば、データストリームを符号化し、符号化されたデータストリームにより搬送波を変調することを含み得る。信号が運ぶ情報は、例えば、アナログ又はデジタル情報であってよい。信号は、知られているように、多種多様な有線又は無線リンクを介して送信され得る。信号は、プロセッサ可読媒体において記憶され得る。
【００７４】
多数の実施が記載されてきた。それでもなお、様々な変更が行われ得ることが理解されるだろう。例えば、異なる実施の要素は、他の実施を生じるよう結合、補完、変更、又は削除され得る。加えて、当業者であれば、他の構造及びプロセスは、開示されているものの代わりに用いられてよく、結果として現れる実施は、開示されている実施と少なくとも実質的に同じ結果を達成するよう、少なくとも実質的に同じ方法において、少なくとも実質的に同じ機能を実行すると理解するだろう。然るに、それら及び他の実施は、本願によって考えられている。
上記の実施形に加えて、以下の付記を開示する。
（付記１）
第２カラーボリュームにおいて表現されているビデオ信号に対して適用されるカラーマッピングデータを用いて、第１カラーボリュームにおいて表現されているビデオ信号をカラーマッピングする方法であって、
前記カラーマッピングデータに基づくカラーマッピングが当該ビデオ信号に直接に適用されるべきかどうか、又は前記カラーマッピングデータに基づく前記カラーマッピングが前記第２カラーボリュームへの当該ビデオ信号のカラーマッピングの後に当該ビデオ信号に適用されるべきかどうかを表すインジケータを取得すること（１４）と、
前記インジケータに応答して前記カラーマッピングデータから当該ビデオ信号をカラーマッピングすること（１４，１６）と
を有する方法。
（付記２）
前記インジケータは、前記第２カラーボリュームを指す、
付記１に記載の方法。
（付記３）
前記インジケータに応答して前記カラーマッピングデータから当該ビデオ信号をカラーマッピングすること（１４，１６）は、前記インジケータが前記第１カラーボリュームと同じ第２カラーボリュームを指す場合に当該ビデオ信号に対して直接に前記カラーメタデータを適用することと、さもなければ、前記第２カラーボリュームへの当該ビデオ信号のカラーマッピングの後に当該ビデオ信号に対して前記カラーメタデータを適用することとを有する、
付記２に記載の方法。
（付記４）
前記インジケータを取得することは、前記インジケータを復号することを有する、
付記１乃至３のうちいずれかに記載の方法。
（付記５）
第２カラーボリュームにおいて表現されているビデオ信号に対して適用されるカラーマッピングデータを用いて、第１カラーボリュームにおいて表現されているビデオ信号をカラーマッピングするデバイスであって、
前記カラーマッピングデータに基づくカラーマッピングが当該ビデオ信号に直接に適用されるべきかどうか、又は前記カラーマッピングデータに基づく前記カラーマッピングが前記第２カラーボリュームへの当該ビデオ信号のカラーマッピングの後に当該ビデオ信号に適用されるべきかどうかを表すインジケータを取得し、
前記インジケータに応答して前記カラーマッピングデータから当該ビデオ信号をカラーマッピングする
よう構成される少なくとも１つのプロセッサを有するデバイス。
（付記６）
前記インジケータは、前記第２カラーボリュームを指す、
付記５に記載のデバイス。
（付記７）
前記インジケータに応答して前記カラーマッピングデータから当該ビデオ信号をカラーマッピングすることは、前記インジケータが前記第１カラーボリュームと同じ第２カラーボリュームを指す場合に当該ビデオ信号に対して直接に前記カラーメタデータを適用することと、さもなければ、前記第２カラーボリュームへの当該ビデオ信号のカラーマッピングの後に当該ビデオ信号に対して前記カラーメタデータを適用することとを有する、
付記６に記載のデバイス。
（付記８）
前記インジケータを取得することは、前記インジケータを復号することを有する、
付記５又は７に記載のデバイス。
（付記９）
所与のカラーボリュームにおいて適用されるカラーマッピングデータを有する、符号化された信号と、
前記カラーマッピングデータに基づくカラーマッピングがビデオ信号に直接に適用されるべきかどうか、又は前記カラーマッピングデータに基づく前記カラーマッピングが前記所与のカラーボリュームへの前記ビデオ信号のカラーマッピングの後に前記ビデオ信号に適用されるべきかどうかを表すインジケータと
を有する記憶媒体。
（付記１０）
前記信号は、前記ビデオ信号を更に有する、
付記９に記載の記憶媒体。
（付記１１）
前記インジケータは、前記所与のカラーボリュームを指す、
付記９又は１０に記載の記憶媒体。
【図１】
0006693949.tif 000002
【図２】
0006693949.tif 000003
【図３Ａ】
0006693949.tif 000004
【図３Ｂ】
0006693949.tif 000005
【図４】
0006693949.tif 000006
【図５】
0006693949.tif 000007